(57)【特許請求の範囲】
【請求項１】
電線を架設した既設鉄塔を新鉄塔へ建て替える際の電線の移線工法であって、建て替えようとする既設鉄塔内あるいは既設鉄塔の近傍にマストセリ上げ方式のクライミングクレーンを起立させ、クライミングクレーンに建て替えようとする既設鉄塔の電線を移線し、クライミングクレーンを地上からセリ上げて新鉄塔の設置に必要な地上高を確保し、新鉄塔を建て、既設鉄塔を解体して新鉄塔へクライミングクレーンに架設した電線を移線するようにした電線の移線工法。
【請求項２】
新鉄塔の設置位置が、既設鉄塔内、既設鉄塔と相隣る既設鉄塔を結ぶセンター線上の線路方向に僅かに移動させた位置あるいは既設鉄塔と相隣る既設鉄塔を結ぶセンター線上の僅か側方である請求項１記載の電線の移線工法。
【発明の詳細な説明】
【０００１】
【発明の属する技術分野】
本発明は、電線を架設した既設鉄塔を新鉄塔へ建て替える際の電線の移線工法に関するものである。
【０００２】
【従来の技術】
従来、電線を架設した既設鉄塔を新鉄塔へ建て替える際の電線の移線工法は、図１４に示すようにして行っていた。
【０００３】
建て替える既設鉄塔１０１には電線１０２が架設してある。まず、既設鉄塔１０１の側方に仮柱１０３を２基建てる。次に、既設鉄塔１０１から仮柱１０３に至る仮ルートに電線１０２を架設する。続いて、既設鉄塔１０１を解体し、既設鉄塔１０１の基礎を撤去する。さらに、建て替える新鉄塔１０４の基礎を建設し、そこに新鉄塔１０４を建てる。最後に、仮柱１０３の電線を新鉄塔１０４に移線し、仮柱１０３を撤去する。
【０００４】
【発明が解決しようとする課題】
上記の従来の電線の移線工法は、既設鉄塔１０１の側方に仮柱１０３を建てるため、新たに用地が必要となる。また、既設鉄塔１０１から仮柱１０３に電線１０２が架設され、線路の一時ルートの変更が発生し、仮設工事が必要となり、工期が長くなり、仮設工事に伴って停電が生じる。
【０００５】
【課題を解決するための手段】
そこで、本発明は、上記の事情に鑑み、新たに用地を必要とせず、線路の一時的ルートの変更をさせることなく、より工期が短い移線工事とし、全停電が生じないようにすべく、電線を架設した既設鉄塔を新鉄塔へ建て替える際の電線の移線工法であって、建て替えようとする既設鉄塔内あるいは既設鉄塔の近傍にマストセリ上げ方式のクライミングクレーンを起立させ、クライミングクレーンに建て替えようとする既設鉄塔の電線を移線し、クライミングクレーンを地上からセリ上げて新鉄塔の設置に必要な地上高を確保し、新鉄塔を建て、既設鉄塔を解体して新鉄塔へクライミングクレーンに架設した電線を移線するようにした電線の移線工法とした。
【０００６】
また、本発明は、具体的には、新鉄塔の設置位置が、既設鉄塔内、既設鉄塔と相隣る既設鉄塔を結ぶセンター線上の線路方向に僅かに移動させた位置あるいは既設鉄塔と相隣る既設鉄塔を結ぶセンター線上の僅か側方である電線の移線工法とした。
【０００７】
【発明の実施の態様】
本発明の電線の移線工法を添付する図面に示す具体的な実施例に基づいて、以下詳細に説明する。
【０００８】
図１において、符号１は建て替える既設鉄塔である。既設鉄塔１はマスト２の上部の両方向にアーム３を突設し、アーム３先端に電線４を架設する。電線４のうち最上部は地線、その下の３本は送電線であるが、ここでは一括して以下電線４として述べる。
【０００９】
既設鉄塔１の中心部にクライミンググレーン５を設置する。このクライミングクレーン５は、下部に例えば高さ４ｍ程度の枠材６を継ぎ足し、セリ上げる。必要に応じて順次枠材６を継ぎ足してセリ上げる。
【００１０】
アーム３の取付け、取外し、電線４の架設などの組立ては鉄塔建設用クレーン７、デリック８あるいは移動式クレーン９で行う。
【００１１】
次に、図２に示すように、１Ｌ側を停電状態とし、２Ｌ側を活線状態とする。２Ｌ側の最上段のアーム３に活線防護ネット１１を設置する。クライミングクレーン５の１Ｌ側上方には仮アーム１０を取付ける。クライミンググレーン５への仮アーム１０の取付けは、下部に枠材６を継ぎ足しセリ上げ鉄塔建設用クレーン７、デリック８あるいは移動式クレーン９にて取付け、さらに、枠材６を継ぎ足しセリ上げ仮アーム１０を鉄塔建設用クレーン７、デリック８あるいは移動式クレーン９にて取付けて行う。
【００１２】
続いて、図３に示すように、１Ｌ側が停電状態で、１Ｌ側の電線４を仮アーム１０に移線する。鉄塔建設用クレーン７、デリック８あるいは移動式クレーン９で既設鉄塔１のアーム３を撤去する。
【００１３】
さらに、図４に示すように、活線防護ネット１１を最上部の仮アーム１０に移設し、今度は２Ｌ側を停電状態、１Ｌ側を活線状態とし、デリック８あるいは移動式クレーン９でクライミングクレーン５のマスト１３の上部の２Ｌ側に仮アーム１０を取付ける。
【００１４】
図５は、２Ｌ側が停電状態で、２Ｌ側の既設鉄塔１のアーム３に架設された電線４をクライミンググレーン５のマスト１３の仮アーム１０に移線し、デリック８あるいは移動式クレーン９にて既設鉄塔１のアーム３を撤去する。
【００１５】
これにて、１Ｌ側および２Ｌ側の電線４の全てを既設鉄塔１より上方に移線し、建て替えようとする新鉄塔の設置のための地上高を確保する。
【００１６】
図６に示すように、１Ｌ側は停電状態で、既設鉄塔１の近傍（既設鉄塔１と相隣る既設鉄塔１を結ぶセンター線Ｃ−Ｃ上の線路方向）に新鉄塔１４の基礎工事を行い、新鉄塔１４を離隔範囲まで組立てる。新鉄塔１４に仮アーム１５を取付け、クライミングクレーン５の仮アーム１０に架設した１Ｌ側の電線４を新鉄塔１４の仮アーム１５に移線する。
【００１７】
図７において、２Ｌ側は停電状態で、新鉄塔１４のマスト１６に電線４を移線し、鉄塔建設用クレーン７、デリック８あるいは移動式クレーン９でクライミングクレーン５の仮アーム１０を撤去し、枠体６を取り外してクライミングクレーン５をセリ下げながら、既設鉄塔１を撤去する。
【００１８】
また、移動式クレーン９が使用できない場合は、クライミングクレーン５を新鉄塔１４の中に移設して、次の工程の組立を鉄塔建設用クレーン７、デリック８で組立てることができる。
【００１９】
図８は、新鉄塔１４の中にクライミングクレーン５を移設してせり上げた状態を示す。
【００２０】
図９では、２Ｌ側は停電状態で、鉄塔建設用クレーン７、デリック８あるいは移動式クレーン９で新鉄塔１４の残りのマスト１６と２Ｌ側のアーム１７を取付ける。
【００２１】
図１０では、２Ｌ側は停電状態で、２Ｌ側の電線４をアーム１７に移線し、防護ネット１１を移設する。
【００２２】
図１１では、１Ｌ側が停電状態で、鉄塔建設用クレーン７、デリック８あるいは移動式クレーン９で１Ｌ側のアーム１７を取付け、そのアーム１７に電線４を移線し、仮アーム１５、防護ネット１１などを撤去し、また、クライミングクレーン５をせり下げて撤去し、図１２に示した状態となる。
【００２３】
図１〜図１２は、既設鉄塔１の線路方向に僅かに移動させた位置に新鉄塔１４を設けた例について述べたが、図１３は既設鉄塔１の線路方向から僅かに側方に移動させた位置に新鉄塔１４を設けた例である。
【００２４】
上記の図は２回線の図であるが、多回線鉄塔にも流用できる。
【００２５】
【発明の効果】
本発明は、上述のように、電線を架設した既設鉄塔を新鉄塔へ建て替える際の電線の移線工法であって、建て替えようとする既設鉄塔内あるいは既設鉄塔の近傍にマストセリ上げ方式のクライミングクレーンを起立させ、クライミングクレーンに建て替えようとする既設鉄塔の電線を移線し、クライミングクレーンを地上からセリ上げて新鉄塔の設置に必要な地上高を確保し、新鉄塔を建て、既設鉄塔を解体して新鉄塔へクライミングクレーンに架設した電線を移線するようにした電線の移線工法であるので、新たに用地を必要とせず、線路の一時的ルートの変更をさせることなく、より工期が短い移線工事とし、全停電が生じるようなことはない。
【００２６】
また、本発明は、具体的には、新鉄塔の設置位置が、既設鉄塔内、既設鉄塔と相隣る既設鉄塔を結ぶセンター線上の線路方向に僅かに移動させた位置あるいは既設鉄塔と相隣る既設鉄塔を結ぶセンター線上の僅か側方である電線の移線工法である。
【図面の簡単な説明】
【図１】既設鉄塔の中心にクライミングクレーンを設置し、組立を鉄塔建設用クレーン、デリックあるいは移動式クレーンにて行うことを説明する２面図である。
【図２】活線防護ネットを設置し、鉄塔建設用クレーン、デリックあるいは移動式クレーンで仮アームをクライミングクレーンにて取付け行うことを説明する図である。
【図３】１Ｌ側が停電状態で、１Ｌ側の電線を仮アームに移線し、鉄塔建設用クレーン、デリックあるいは移動式クレーンで既設鉄塔のアームを撤去することを説明する図である。
【図４】防護ネットを移設し２Ｌ側が停電状態で、移動式クレーンあるいはデリックでクライミングクレーンに仮アームを取付けることを説明する図である。
【図５】２Ｌ側が停電状態で、２Ｌ側の電線をクライミングクレーンの仮アームに移線し、移動式クレーンあるいはデリックで既設鉄塔のアームの撤去を説明する図である。
【図６】１Ｌ側が停電状態で、新鉄塔の基礎を設け、離隔範囲まで新鉄塔を組立て、新鉄塔に仮アームを取付け、１Ｌ側の電線を仮アームに移線し、防護ネットの移設を説明する２面図である。
【図７】２Ｌ側が停電状態で、鉄塔建設用クレーン、デリックあるいは移動式クレーンでクライミングマストの仮アームを撤去し、クライミングクレーンをせり下げ、既設鉄塔を撤去し、同時に１Ｌ側の電線を新鉄塔に移線することを説明する２面図である。
【図８】クライミングクレーンを新鉄塔内に移設した状態を説明する２面図である。
【図９】２Ｌ側が停電状態で、鉄塔建設用クレーン、デリックあるいは移動式クレーンで新鉄塔の残りのポストと２Ｌ側のアームの取付けを説明する図である。
【図１０】２Ｌ側が停電状態で、２Ｌ側の電線を移線し、防護ネットの移設を説明する図である。
【図１１】１Ｌ側が停電状態で、１Ｌ側のアームを鉄塔建設用クレーン、デリックあるいは移動式クレーンで取付け、電線を移線し、仮アーム、防護ネット、クライミングクレーンなどの撤去を説明する図である。
【図１２】新鉄塔に電線の移線が完了した図である。
【図１３】既設鉄塔の線路方向から僅かに側方に移動させた位置に、新鉄塔を設けた例と既設鉄塔の外側に包み込むように新鉄塔を設けた例を示す２面図である。
【図１４】従来の電線の移線工法を説明する図である。
【符号の説明】
４…電線
１…既設鉄塔
１４…新鉄塔
５…クライミングクレーン
【図１】
0004054587.tif 000002
【図２】
0004054587.tif 000003
【図３】
0004054587.tif 000004
【図４】
0004054587.tif 000005
【図５】
0004054587.tif 000006
【図６】
0004054587.tif 000007
【図７】
0004054587.tif 000008
【図８】
0004054587.tif 000009
【図９】
0004054587.tif 000010
【図１０】
0004054587.tif 000011
【図１１】
0004054587.tif 000012
【図１２】
0004054587.tif 000013
【図１３】
0004054587.tif 000014
【図１４】
0004054587.tif 000015